(57)【要約】【課題】例えば冬季の過乾燥を抑制するために、室内温湿度および室外温度に応じて風量設定を切り替える熱交換形換気装置を提供する。【解決手段】室内温度Ｔｉを検出する室内温度センサー１６と、室内の相対湿度Ｈｒを検出する室内湿度センサー１７と、室外温度Ｔｏを検出する室外温度センサー１４とを設け、室内温度Ｔｉおよび相対湿度Ｈｒから算出される絶対湿度Ｈと、室内温度Ｔｉから室外温度Ｔｏを差し引いた温度差ΔＴが、それぞれ所定の値のときに、室内湿度の過剰な低下を抑制するように給気用モータ・排気用モータの回転数を減少させることで、室内が過乾燥になることを抑制することができる熱交換形換気装置を得られる。【選択図】図４
2018159476.tif 000002
【特許請求の範囲】
【請求項１】
給気用モータを備えた給気用ファンと、
排気用モータを備えた排気用ファンと、
前記給気用ファンにより室外から室内に送風される給気送風経路と、
前記排気用ファンにより室内から室外に送風される排気送風経路と、
前記給気送風経路と前記排気送風経路とが交差する位置に設けられた熱交換素子と、
前記給気用モータと前記排気用モータの運転および回転数を制御する制御部とを備えた熱交換形換気装置において、
室内の温度を検出する室内温度センサーと、室内の相対湿度を検出する室内湿度センサーと、室外の温度を検出する室外温度センサーとを設け、
前記室内温度センサーにより検出される室内温度をＴｉ、前記室内湿度センサーにより検出される相対湿度をＨｒ、前記室外温度センサーにより検出される室外温度をＴｏ、室内温度Ｔｉおよび相対湿度Ｈｒから算出される絶対湿度をＨ、室内温度Ｔｉから室外温度Ｔｏを差し引いた温度差をΔＴとし、
前記制御部は、「室外温度Ｔｏ＜第１所定温度ＴＡ」且つ「０≦温度差ΔＴ」の場合において、「第１所定温度差ΔＴ１≦温度差ΔＴ＜第２所定温度差ΔＴ２」且つ「絶対湿度Ｈ＜第１所定湿度Ｈ１」であるときは、予め定義された第１Ａ１給気風量および第１Ａ１排気風量になるように、前記給気用モータおよび前記排気用モータの回転数を減少させることを特徴とする熱交換形換気装置。
【請求項２】
前記制御部は、「室外温度Ｔｏ＜第１所定温度ＴＡ」且つ「０≦温度差ΔＴ」の場合において、「第１所定温度差ΔＴ１≦温度差ΔＴ＜第２所定温度差ΔＴ２」且つ「第１所定湿度Ｈ１≦絶対湿度Ｈ＜第２所定湿度Ｈ２」であるときは、予め定義された第２Ａ２給気風量および第２Ａ２排気風量になるように、前記給気用モータおよび前記排気用モータの回転数を減少させ、
「第１Ａ１給気風量＜第２Ａ２給気風量」且つ「第１Ａ１排気風量＜第２Ａ２排気風量」であることを特徴とする請求項１に記載の熱交換形換気装置。
【請求項３】
前記制御部は、「室外温度Ｔｏ＜第１所定温度ＴＡ」且つ「０≦温度差ΔＴ」の場合において、「第１所定温度差ΔＴ１≦温度差ΔＴ＜第２所定温度差ΔＴ２」且つ「第２所定湿度Ｈ２≦絶対湿度Ｈ」であるときは、予め定義された第３Ａ３給気風量および第３Ａ３排気風量になるように、前記給気用モータおよび前記排気用モータの回転数を減少させ、
「第２Ａ２給気風量＜第３Ａ３給気風量」且つ「第２Ａ２排気風量＜第３Ａ３排気風量」であることを特徴とする請求項２に記載の熱交換形換気装置。
【請求項４】
前記制御部は、「室外温度Ｔｏ＜第１所定温度ＴＡ」且つ「０≦温度差ΔＴ」の場合において、「第２所定温度差ΔＴ２≦温度差ΔＴ」且つ「絶対湿度Ｈ＜第３所定湿度Ｈ３」であるときは、予め定義された第４Ａ４給気風量および第４Ａ４排気風量になるように、前記給気用モータおよび前記排気用モータの回転数を減少させ、
「第４Ａ４給気風量＜第１Ａ１給気風量」且つ「第４Ａ４排気風量＜第１Ａ１排気風量」であることを特徴とする請求項３に記載の熱交換形換気装置。
【請求項５】
前記制御部は、「室外温度Ｔｏ＜第１所定温度ＴＡ」且つ「０≦温度差ΔＴ」の場合において、「第２所定温度差ΔＴ２≦温度差ΔＴ」且つ「第３所定湿度Ｈ３≦絶対湿度Ｈ」であるときは、予め定義された第５Ａ５給気風量および第５Ａ５排気風量になるように、前記給気用モータおよび前記排気用モータの回転数を減少させ、
「第４Ａ４給気風量＜第５Ａ５給気風量＜第１Ａ１給気風量」且つ「第４Ａ４排気風量＜第５Ａ５排気風量＜第１Ａ１排気風量」であることを特徴とする請求項４に記載の熱交換形換気装置。
【発明の詳細な説明】
【技術分野】
【０００１】
本発明は、外気と室内空気を熱交換する熱交換形換気装置に関するものである。
【背景技術】
【０００２】
従来、この種の換気装置としては、建物内に設置され外気を外気給気口から導入し、内蔵する熱交換素子を経て室内に供給する換気装置が知られている。
【０００３】
以下、その換気空調装置について図５を参照しながら説明する。
【０００４】
図５に示すように、換気装置本体１０１は、建物内の屋根裏空間または天井裏空間に設置される。新鮮外気は、外気給気口１０２から導入され、内蔵する熱交換素子１０３を通過して室内給気口１０４を経て室内に供給される。一方、室内の汚れた空気は、室内排気口１０５から導入され、熱交換素子１０３を通過し、室外排気口１０６を経て室外に排気される。外気給気口１０２から導入される新鮮外気と室内排気口１０５から導入される室内の汚れた空気は、熱交換素子１０３を経て電動機１０７に同一軸１０８にて連結された給気用ファン１０９と排気用ファン１１０により移送される構成としている。
【先行技術文献】
【特許文献】
【０００５】
【特許文献１】特開平１１−３２５５３５号公報
【発明の概要】
【発明が解決しようとする課題】
【０００６】
従来の熱交換形換気装置においては、例えば冬季に、換気を継続することで過換気となり、室内環境が過乾燥になるという課題を有していた。
【０００７】
そこで本発明は、上記従来の課題を解決するものであり、冬季などにおける過乾燥を抑制するために、室内温湿度に応じて風量設定を切り替える熱交換形換気装置を実現する。
【課題を解決するための手段】
【０００８】
そして、この目的を達成するために、本発明の一態様に係る熱交換形換気装置は、給気用モータを備えた給気用ファンと、排気用モータを備えた排気用ファンと、前記給気用ファンにより室外から室内に送風される給気送風経路と、前記排気用ファンにより室内から室外に送風される排気送風経路と、前記給気送風経路と前記排気送風経路とが交差する位置に設けられた熱交換素子と、前記給気用モータと前記排気用モータの運転および回転数を制御する制御部とを備えた熱交換形換気装置において、室内の温度を検出する室内温度センサーと、室内の相対湿度を検出する室内湿度センサーと、室外の温度を検出する室外温度センサーとを設け、前記室内温度センサーにより検出される室内温度をＴｉ、前記室内湿度センサーにより検出される相対湿度をＨｒ、前記室外温度センサーにより検出される室外温度をＴｏ、室内温度Ｔｉおよび相対湿度Ｈｒから算出される絶対湿度をＨ、室内温度Ｔｉから室外温度Ｔｏを差し引いた温度差をΔＴとし、前記制御部は、「室外温度Ｔｏ＜第１所定温度ＴＡ」且つ「０≦温度差ΔＴ」の場合において、「第１所定温度差ΔＴ１≦温度差ΔＴ＜第２所定温度差ΔＴ２」且つ「絶対湿度Ｈ＜第１所定湿度Ｈ１」であるときは、予め定義された第１Ａ１給気風量および第１Ａ１排気風量になるように、前記給気用モータおよび前記排気用モータの回転数を減少させることにより、所期の目的を達成するものである。
【発明の効果】
【０００９】
本発明によれば、室内が過乾燥になることを抑制することができる。
【図面の簡単な説明】
【００１０】
【図１】本発明の実施の形態１の熱交換形換気装置を示す外観斜視図
【図２】同熱交換形換気装置の側面断面を示す構成図
【図３】同リモコンを示す概要図
【図４】同制御部のブロック図
【図５】従来の熱交換形換気装置の側面断面を示す構成図
【発明を実施するための形態】
【００１１】
本発明の一態様に係る熱交換形換気装置は、給気用モータを備えた給気用ファンと、排気用モータを備えた排気用ファンと、前記給気用ファンにより室外から室内に送風される給気送風経路と、前記排気用ファンにより室内から室外に送風される排気送風経路と、前記給気送風経路と前記排気送風経路とが交差する位置に設けられた熱交換素子と、前記給気用モータと前記排気用モータの運転および回転数を制御する制御部とを備えた熱交換形換気装置において、室内の温度を検出する室内温度センサーと、室内の相対湿度を検出する室内湿度センサーと、室外の温度を検出する室外温度センサーとを設け、前記室内温度センサーにより検出される室内温度をＴｉ、前記室内湿度センサーにより検出される相対湿度をＨｒ、前記室外温度センサーにより検出される室外温度をＴｏ、室内温度Ｔｉおよび相対湿度Ｈｒから算出される絶対湿度をＨ、室内温度Ｔｉから室外温度Ｔｏを差し引いた温度差をΔＴとし、前記制御部は、「室外温度Ｔｏ＜第１所定温度ＴＡ」且つ「０≦温度差ΔＴ」の場合において、「第１所定温度差ΔＴ１≦温度差ΔＴ＜第２所定温度差ΔＴ２」且つ「絶対湿度Ｈ＜第１所定湿度Ｈ１」であるときは、予め定義された第１Ａ１給気風量および第１Ａ１排気風量になるように、前記給気用モータおよび前記排気用モータの回転数を減少させる構成を有する。
【００１２】
この構成によれば、例えば冬季に、換気量を制限することができると共に、熱交換素子を通過する風速を落とすことができ、温度・湿度の交換効率を高めることができる。このため、室内側の湿度を保ち、また、生活する中で発生する湿度を室内に留めるよう促すことができる。従って、室内が過乾燥になることを抑制することができる。別の表現を用いれば、室内湿度の過剰な低下を抑制でき、また熱交換素子を通過する風速を落とすことで、温度・湿度の交換効率を高め、湿度回収効果を高めることができる。従って、室内が過乾燥になることを抑制することができる。
【００１３】
また、前記制御部は、「室外温度Ｔｏ＜第１所定温度ＴＡ」且つ「０≦温度差ΔＴ」の場合において、「第１所定温度差ΔＴ１≦温度差ΔＴ＜第２所定温度差ΔＴ２」且つ「第１所定湿度Ｈ１≦絶対湿度Ｈ＜第２所定湿度Ｈ２」であるときは、予め定義された第２Ａ２給気風量および第２Ａ２排気風量になるように、前記給気用モータおよび前記排気用モータの回転数を減少させ、「第１Ａ１給気風量＜第２Ａ２給気風量」且つ「第１Ａ１排気風量＜第２Ａ２排気風量」である構成としてもよい。
【００１４】
この構成によれば、室内で結露が発生することを抑制しつつ、室内が過乾燥になることを抑制することができる。
【００１５】
また、前記制御部は、「室外温度Ｔｏ＜第１所定温度ＴＡ」且つ「０≦温度差ΔＴ」の場合において、「第１所定温度差ΔＴ１≦温度差ΔＴ＜第２所定温度差ΔＴ２」且つ「第２所定湿度Ｈ２≦絶対湿度Ｈ」であるときは、予め定義された第３Ａ３給気風量および第３Ａ３排気風量になるように、前記給気用モータおよび前記排気用モータの回転数を減少させ、「第２Ａ２給気風量＜第３Ａ３給気風量」且つ「第２Ａ２排気風量＜第３Ａ３排気風量」である構成としてもよい。
【００１６】
この構成によれば、室内で結露が発生することを抑制しつつ、室内が過乾燥になることを抑制することができる。
【００１７】
また、前記制御部は、「室外温度Ｔｏ＜第１所定温度ＴＡ」且つ「０≦温度差ΔＴ」の場合において、「第２所定温度差ΔＴ２≦温度差ΔＴ」且つ「絶対湿度Ｈ＜第３所定湿度Ｈ３」であるときは、予め定義された第４Ａ４給気風量および第４Ａ４排気風量になるように、前記給気用モータおよび前記排気用モータの回転数を減少させ、「第４Ａ４給気風量＜第１Ａ１給気風量」且つ「第４Ａ４排気風量＜第１Ａ１排気風量」である構成としてもよい。
【００１８】
この構成によれば、室内が過乾燥になることをさらに抑制することができる。
【００１９】
また、前記制御部は、「室外温度Ｔｏ＜第１所定温度ＴＡ」且つ「０≦温度差ΔＴ」の場合において、「第２所定温度差ΔＴ２≦温度差ΔＴ」且つ「第３所定湿度Ｈ３≦絶対湿度Ｈ」であるときは、予め定義された第５Ａ５給気風量および第５Ａ５排気風量になるように、前記給気用モーターおよび前記排気用モーターの回転数を減少させ、「第４Ａ４給気風量＜第５Ａ５給気風量＜第１Ａ１給気風量」且つ「第４Ａ４排気風量＜第５Ａ５排気風量＜第１Ａ１排気風量」である構成としてもよい。
【００２０】
この構成によれば、室内で結露が発生することを抑制しつつ、室内が過乾燥になることを抑制することができる。
以下、本発明の実施の形態について図面を参照しながら説明する。
（実施の形態１）
本発明の第１の実施の形態の熱交換形換気装置の構成について、図１および図２を用いて説明する。
【００２１】
図１に示すように、熱交換形換気装置１は、箱形の本体を有する。本体の例えば側面には、外気吸込口２、室内空気排気口３、および外気給気口４が設けられている。本体の例えば下面には、室内空気吸込口５が設けられている。
【００２２】
外気給気口４は、外気吸込口２または室内空気排気口３が設けられた側面に対向した側面に設けられる。
【００２３】
外気吸込口２、室内空気排気口３、外気給気口４には、それぞれダクト（図示せず）が接続できる形状となっている。外気吸込口２と室内空気排気口３に接続したダクトは建物外壁面まで引き回して建物外の屋外空気と連通する。外気給気口４に接続したダクトは居室の天井面または壁面と連通されて室内空気と連通する。
【００２４】
図２に示すように、熱交換形換気装置１の内部には、給気用ファン９、排気用ファン１０、および熱交換素子６が設けられている。
【００２５】
給気用ファン９は、給気用モータ１１を備える。
【００２６】
排気用ファン１０は、排気用モータ１２を備える。
【００２７】
熱交換形換気装置１の内部には、給気用モータ１１の回転数および排気用モータ１２の回転数を制御する制御部１３が設けられている。制御部１３は給気用モータ１１および排気用モータ１２の回転数を制御することにより、給気風量および排気風量を一定に保ちながら制御するものである。なお、制御部１３は、熱交換形換気装置１の外部に設けられてもよい。
【００２８】
熱交換形換気装置１は、給気送風経路７および排気送風経路８を有する。
【００２９】
給気送風経路７は、新鮮な屋外の空気（給気空気）を外気吸込口２から吸い込み、熱交換形換気装置１の内部の熱交換素子６を通って外気給気口４から室内に供給する経路である。
【００３０】
排気送風経路８は、汚染された室内の空気（排気空気）を室内空気吸込口５から吸い込み、熱交換素子６を通って室内空気排気口３から室外に排気する経路である。
【００３１】
熱交換素子６は、排気される空気の熱量を給気される空気に供給する、または、給気される空気の熱量を排気される空気の熱量に供給する、熱回収の機能を有している。熱交換素子６は、給気送風経路７と排気送風経路８とが交差する位置に配設される。
【００３２】
給気送風経路７において熱交換素子６の給気入口側に室外温度センサー１４（外気温度センサー）を配設する。
【００３３】
図３に示すように、室内温度センサー１６及び室内湿度センサー１７は、例えばリモコン１５の内部基板に設けられる。リモコン１５は部屋の壁面などに設けられる。リモコン１５を操作することにより、熱交換形換気装置１は操作される。
【００３４】
ここで、本実施の形態における特徴的な部分、すなわち、制御部１３の動作について説明する。
【００３５】
熱交換形換気装置１を起動すると、制御部１３は、給気用ファン９と排気用ファン１０の出力する送風量が同等になるように、給気用モータと排気用モータの回転数を制御する（熱交換気運転）。
【００３６】
しかし、熱交換気運転中に低温の外気が流入すると、室内が過乾燥になる場合がある。これは、絶対湿度量の少ない低外気温度の空気が室内に流入すると同時に、室内の湿った空気が排出されることで室内相対湿度が低下し、過乾燥となるからである。
【００３７】
絶対湿度（ｋｇ／ｋｇ（ＤＡ））とは、重量絶対湿度（英語: ｈｕｍｉｄｉｔｙ ｒａｔｉｏ）のことであり、乾燥空気の質量に対する水蒸気の質量の比のことである。
【００３８】
相対湿度（％）とはその温度における飽和水蒸気量に対するその時の空気中の水蒸気量の比率のことである。
【００３９】
図４において、室外温度センサー１４により検出された室外温度をＴｏとし、室内温度センサー１６により検出された室内温度をＴｉとし、室内湿度センサー１７により検出された相対湿度をＨｒとする。
【００４０】
室内温度Ｔｉおよび相対湿度Ｈｒから算出される絶対湿度をＨとする。
【００４１】
室内温度Ｔｉから室外温度Ｔｏを差し引いた温度差をΔＴとする。
【００４２】
室内が過乾燥となることを抑制するために、制御部１３は、絶対湿度Ｈおよび温度差ΔＴをそれぞれ監視し、絶対湿度Ｈが所定の値を下回ったときに、給気風量と排気風量を減少させる、すなわち、給気用モータ１１の回転数と、排気用モータ１２の回転数を減少させる。
【００４３】
絶対湿度Ｈを算出する理由は、窓結露の発生するタイミングを計るためである。窓結露は、室内の相対湿度Ｈｒではなく絶対湿度Ｈに依存するため、制御部１３は、絶対湿度Ｈに基づいて制御する。
【００４４】
まず、図４において、各定数の数値例を記載しておく。
【００４５】
風量については、所定風量Ａ：１４０ｍ３／ｈ、第１Ａ１給気風量：１００ｍ３／ｈ、第１Ａ１排気風量：１００ｍ３／ｈ、第２Ａ２給気風量：１１０ｍ３／ｈ、第２Ａ２排気風量：１１０ｍ３／ｈ、第３Ａ３給気風量：１２０ｍ３／ｈ、第３Ａ３排気風量：１２０ｍ３／ｈ、第４Ａ４給気風量：７０ｍ３／ｈ、第４Ａ４排気風量：７０ｍ３／ｈ、第５Ａ５給気風量：８０ｍ３／ｈ、第５Ａ５排気風量：８０ｍ３／ｈである。これらの例では、「所定風量Ａ＞第３Ａ３給気風量＞第２Ａ２給気風量＞第１Ａ１給気風量」、「所定風量Ａ＞第３Ａ３排気風量＞第２Ａ２排気風量＞第１Ａ１排気風量」、「所定風量Ａ＞第５Ａ５給気風量＞第４Ａ４給気風量」、「所定風量Ａ＞第５Ａ５排気風量＞第４Ａ４排気風量」の関係を満たす。特に、初期の風量よりも減少させるという意味で、「所定風量Ａ＞第３Ａ３給気風量」、「所定風量Ａ＞第３Ａ３排気風量」、「所定風量Ａ＞第５Ａ５給気風量」、「所定風量Ａ＞第５Ａ５排気風量」の関係を満たす。なお、風量について、Ａ５＜Ａ１としたが、例えばＡ１≦Ａ５＜Ａ２、またはＡ２≦Ａ５＜Ａ３してもよい。
【００４６】
温度については、所定温度ＴＡ：１６℃、第１所定温度差ΔＴ１：２℃、第２所定温度差ΔＴ２：２９℃である。これらの例では、「第１所定温度差ΔＴ１＜第２所定温度差ΔＴ２」の関係を満たす。２℃≦第１所定温度差ΔＴ１≦１７℃としてもよい。８℃≦第２所定温度差ΔＴ２≦２９℃としてもよい。
【００４７】
重量絶対湿度については、第１所定湿度Ｈ１：６ｋｇ／ｋｇ（ＤＡ）、第２所定湿度Ｈ２：９ｋｇ／ｋｇ（ＤＡ）、第３所定湿度Ｈ３：７．５ｋｇ／ｋｇ（ＤＡ）である。これらの例では、「第１所定湿度Ｈ１＜第２所定湿度Ｈ２」の関係を満たす。Ｈ３については、例えば、第１所定湿度Ｈ１＜第３所定湿度Ｈ３＜第２所定湿度Ｈ２の関係を満たすものとした。
【００４８】
時間については、ｔ：１ｈである。
【００４９】
なお、各数値は例であるため、それらの数値に限定されることはない。各数値の大小関係についても、場合によっては、入れ替わる場合もあり得る。
【００５０】
以下、図４を用いて、制御部１３の動作を具体的に説明する。
【００５１】
室外温度センサー１４により検出された室外温度Ｔｏが、所定温度ＴＡ以上の場合には、給気風量と排気風量は所定風量Ａで運転する。
【００５２】
或いは、温度差ΔＴ＜０の場合には、給気風量と排気風量は所定風量Ａで運転する。
【００５３】
この運転状態を継続し、次第に外気温度が低下する場合を考える。外気温度が低下していくと、室外温度センサー１４は、室外温度Ｔｏが所定温度ＴＡを下回ることを検出する。
【００５４】
室外温度Ｔｏが所定温度ＴＡより小さくなると、制御部１３は、温度差ΔＴおよび絶対湿度Ｈを確認する。
【００５５】
温度差ΔＴ＜第１所定温度差ΔＴ１であるときは給気風量と排気風量は所定風量Ａで運転を続ける。
【００５６】
第１所定温度差ΔＴ１≦温度差ΔＴ＜第２所定温度差ΔＴ２、且つ、絶対湿度Ｈ＜第１所定湿度Ｈ１であるときは、予め定義された第１Ａ１給気風量および第１Ａ１排気風量になるように、給気用モータ１１および排気用モータ１２の回転数を減少させる。
【００５７】
第１所定温度差ΔＴ１≦温度差ΔＴ＜第２所定温度差ΔＴ２、且つ第１所定湿度Ｈ１≦絶対湿度Ｈ＜第２所定湿度Ｈ２であるときは、予め定義された第２Ａ２給気風量および第２Ａ２排気風量になるように、給気用モータ１１および排気用モータ１２の回転数を減少させる。
【００５８】
第１所定温度差ΔＴ１≦温度差ΔＴ＜第２所定温度差ΔＴ２、且つ、第２所定湿度Ｈ２≦絶対湿度Ｈであるときは、予め定義された第３Ａ３給気風量および第３Ａ３排気風量になるように、給気用モータ１１および排気用モータ１２の回転数を減少させる。
【００５９】
第２所定温度差ΔＴ２≦温度差ΔＴ、且つ、絶対湿度Ｈ＜第３所定湿度Ｈ３であるときは、予め定義された第４Ａ４給気風量および第４Ａ４排気風量になるように、給気用モータ１１および排気用モータ１２の回転数を減少させる。ここで、第４Ａ４給気風量＜第１Ａ１給気風量、且つ、第４Ａ４排気風量＜第１Ａ１排気風量としてもよい。
【００６０】
第２所定温度差ΔＴ２≦温度差ΔＴ、且つ、第３所定湿度Ｈ３≦絶対湿度Ｈであるときは、予め定義された第５Ａ５給気風量および第５Ａ５排気風量になるように、給気用モータ１１および排気用モータ１２の回転数を減少させる。
【００６１】
このように、給気用モータ１１と排気用モータ１２の回転数を減少させることで、換気量を制限することができると共に、熱交換素子６を通過する風速を落とすことができる。このため、温度・湿度の交換効率を高めることができる。換気量を制限することで、室内湿度の過剰な低下を抑制できる。また熱交換素子を通過する風速を落とすことで、温度・湿度の交換効率を高め、湿度回収効果を高めることができる。これらの作用により、室内側の湿度を保ち、また生活する中で発生する湿度を室内に留めるよう促すことができ、室内が過乾燥になることを抑制することができる。
【００６２】
また、ｔ時間毎の一定間隔（例えば１回／時間）で算出する絶対湿度Ｈが所定の値を上回ったときに、給気風量および排気風量を増加させる、すなわち、給気用モータ１１および排気用モータ１２の回転数を増加させてもよい。
【００６３】
例えば、絶対湿度Ｈ＜第１所定湿度Ｈ１の状態から第１所定湿度Ｈ１≦絶対湿度Ｈの状態になった場合、或いは、絶対湿度Ｈ＜第２所定湿度Ｈ２の状態から第２所定湿度Ｈ２≦絶対湿度Ｈの状態になった場合に、給気風量および排気風量を増加させてもよい。また、例えば、絶対湿度Ｈ＜第３所定湿度Ｈ３の状態から第３所定湿度Ｈ３≦絶対湿度Ｈの状態になった場合に給気風量および排気風量を増加させてもよい。
【００６４】
給気用モータ１１と排気用モータ１２の回転数を増加させることで、換気量を大きくすることができると共に、熱交換素子を通過する風速を高めることができ、温度・湿度の交換効率を抑制することができる。これらの作用により、室内側の過剰に湿った空気をより排出するように促す。また、生活する中で発生する湿度の回収を抑制することができ、室内湿度が減少し、窓結露などの住宅結露の発生を抑制することができる。
【００６５】
また、第４Ａ４給気風量および第４Ａ４排気風量でｔ時間運転した後において、制御部は、「室外温度Ｔｏ＜第１所定温度ＴＡ」且つ「０≦温度差ΔＴ」で、「第２所定温度差ΔＴ２≦温度差ΔＴ」且つ「第３所定湿度Ｈ３≦絶対湿度Ｈ」であるときは、予め定義された第５Ａ５給気風量および第５Ａ５排気風量になるように、給気用モータおよび排気用モータの回転数を増加させる構成としてもよい。
【００６６】
また、第５Ａ５給気風量および第５Ａ５排気風量でｔ時間運転した後において、制御部は、「室外温度Ｔｏ＜第１所定温度ＴＡ」且つ「０≦温度差ΔＴ」で、「第１所定温度差ΔＴ１≦温度差ΔＴ＜第２所定温度差ΔＴ２」且つ「第２所定湿度Ｈ２≦絶対湿度Ｈ」であるときは、予め定義された第３Ａ３給気風量および第３Ａ３排気風量になるように、給気用モータおよび排気用モータの回転数を増加させる構成としてもよい。
【００６７】
また、第１Ａ１給気風量および第１Ａ１排気風量でｔ時間運転した後において、制御部は、「室外温度Ｔｏ＜第１所定温度ＴＡ」且つ「０≦温度差ΔＴ」で、「第１所定温度差ΔＴ１≦温度差ΔＴ＜第２所定温度差ΔＴ２」且つ「第１所定湿度Ｈ１≦絶対湿度Ｈ＜第２所定湿度Ｈ２」であるときは、予め定義された第２Ａ２給気風量および第２Ａ２排気風量になるように、給気用モータおよび排気用モータの回転数を増加させる構成としてもよい。
【００６８】
また、第２Ａ２給気風量および第２Ａ２排気風量でｔ時間運転した後において、制御部は、「室外温度Ｔｏ＜第１所定温度ＴＡ」且つ「０≦温度差ΔＴ」で、「第１所定温度差ΔＴ１≦温度差ΔＴ＜第２所定温度差ΔＴ２」且つ「第２所定湿度Ｈ２≦絶対湿度Ｈ」であるときは、予め定義された第３Ａ３給気風量および第３Ａ３排気風量になるように、給気用モータおよび排気用モータの回転数を増加させる構成としてもよい。
【００６９】
また、第３Ａ３給気風量および第３Ａ３排気風量でｔ時間運転した後において、制御部は、「室外温度Ｔｏ＜第１所定温度ＴＡ」且つ「０≦温度差ΔＴ」で、「温度差ΔＴ＜第１所定温度差ΔＴ１」であるときは、予め定義された初期のＡ給気風量およびＡ排気風量になるように、給気用モータおよび排気用モータの回転数を増加させる構成としてもよい。
【００７０】
これらの構成によれば、換気量を大きくすることができると共に、熱交換素子を通過する風速を高めることができる。このため、温度・湿度の交換効率を抑制することができる。そして、室内側の過剰に湿った空気をより排出するように促し、また生活する中で発生する湿度の回収を抑制することができる。従って、室内湿度が上昇し、窓結露などの住宅結露の発生を抑制することができるという効果を奏する。
【００７１】
なお、図４の各々のステップにおいて、排気風量と給気風量は同等としたが、排気風量と給気風量は異なる風量としてもよい。
【００７２】
図４の各々のステップにおいて、各時間ｔは、異なる時間にしてもよい。
【００７３】
以上、本発明に係る熱交換形換気装置について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７４】
熱交換形換気装置は、外気と室内空気の熱交換を目的とするダクト式の換気装置、ダクト式の空気調和装置等として有用である。
【符号の説明】
【００７５】
１    熱交換形換気装置
２    外気吸込口
３    室内空気排気口
４    外気給気口
５    室内空気吸込口
６    熱交換素子
７    給気送風経路
８    排気送風経路
９    給気用ファン
１０    排気用ファン
１１    給気用モータ
１２    排気用モータ
１３    制御部
１４    室外温度センサー
１５    リモコン
１６    室内温度センサー
１７    室内湿度センサー
【図１】
2018159476.tif 000003
【図２】
2018159476.tif 000004
【図３】
2018159476.tif 000005
【図４】
2018159476.tif 000006
【図５】
2018159476.tif 000007